(57)【要約】【課題】タッチキーの誤操作による再加熱をなくし、より安全な状態にするとともに、異常表示が出続けた場合に使用者が故障と勘違いする可能性をなくすこと。【解決手段】トッププレートに設けられ、制御命令を入力するタッチキーを含む操作部９と、加熱源への電源供給をオンオフする電源開閉手段４と、機器の操作状態を表示する表示部１１と、加熱源への通電を制御すると共に表示部に制御状態を表示する制御部１０と、タッチキーを第１の所定時間以上押されたり、複数のタッチキーが同時に押されている状態を検出するタッチキー異常判別手段１２とを備え、制御部は、タッチキー異常判別手段で異常を判別すると電源開閉手段を遮断して表示部を消灯することでタッチキーの誤操作による再加熱をなくしより安全な状態にすることができる。【選択図】図１
2011065793.tif 000002
【特許請求の範囲】
【請求項１】
被加熱物を加熱する加熱源と、機器上面に設けられたトッププレートと、前記トッププレートに設けられ、制御命令を入力するタッチキーを含む操作部と、前記加熱源への電源供給をオンオフする電源開閉手段と、機器の操作状態を表示する表示部と、前記制御命令に基づいて前記加熱源への通電を制御すると共に前記表示部に制御状態を表示する制御部と、前記タッチキーを第１の所定時間以上押されたり、複数のタッチキーが同時に押されている状態を検出するタッチキー異常判別手段とを備え、前記制御部は、前記タッチキー異常判別手段で異常を判別すると前記電源開閉手段を遮断して前記表示部を消灯する誘導加熱調理器。
【請求項２】
前記タッチキー異常判別手段が加熱中に第２の所定時間以上押されたり、複数のタッチキーが同時に押されている異常を判別すると前記制御部は電源開閉手段を遮断せずに異常を表示して加熱を停止する請求項１に記載の誘導加熱調理器。
【請求項３】
複数の加熱源を備え、いずれかの前記加熱源を加熱中に前記タッチキー異常判別手段が他の加熱源の操作部に異常を判別すると電源開閉手段を遮断せずに異常を表示する請求項１または２に記載の誘導加熱調理器。
【請求項４】
前記電源開閉手段を遮断する際に、前記電源開閉手段を遮断することや遮断したことを報知する報知部をさらに備える請求項１〜３のいずれか１項に記載の誘導加熱調理器。
【請求項５】
前記制御部に前記制御命令が一切入力されずに第３の所定時間経過すると、自動的に前記電源開閉手段を遮断する自動オフ機能を備えた制御部を備え、前記電源開閉手段を遮断した後、前記電源開閉手段オン時から加熱開始までの間に操作部に異常を検知すると第２の所定時間異常を表示し、第３の所定時間より短く設定された第４の所定時間経過後に前記電源開閉手段を遮断する請求項１〜４のいずれか１項に記載の誘導加熱調理器。
【発明の詳細な説明】
【技術分野】
【０００１】
本発明は一般家庭で使用する静電容量式のタッチキーを有する誘導加熱調理器に関するものである。
【背景技術】
【０００２】
従来、この種の誘導加熱調理器は、各加熱部への加熱条件を入力する複数の入力キーを有し、キー入力異常が生じた時には加熱停止動作を行うようにし、キー異常による加熱停止時にはキー異常表示を点灯している（例えば、特許文献１参照）。
【０００３】
図５は、特許文献１に記載された従来の誘導加熱調理器を示す構成図である。図５に示すように本体２５と本体２５の天面に配された複数の加熱部２６ａ、２６ｂ、２６ｃと、加熱部２６ａ、２６ｂ、２６ｃそれぞれ対応する複数の入力キー２７ａ、２７ｂ、２７ｃを含む操作部を備えて、複数の入力キー２７ａ、２７ｂ、２７ｃは、各加熱部への加熱条件を入力する加熱入切キーを含む複数の入力キーを構成している。
【０００４】
複数の入力キーのいずれかに多重押し、あるいは単独で一定時間継続してキー押下が行われるなどのキー異常が生じた際には、複数の入力キーからの入力状態によってキー異常検知処理条件を区別して加熱継続あるいは加熱停止動作を行うようにし、キー異常による加熱停止時にはキー異常表示を点灯し、キー異常状態における加熱継続時にはキー異常表示を点滅している。
【先行技術文献】
【特許文献】
【０００５】
【特許文献１】特開２００９−０７９８９２号公報
【発明の概要】
【発明が解決しようとする課題】
【０００６】
しかしながら、前記従来の構成では、本体の天面に配し複数の加熱部にそれぞれ対応する複数の操作部に複数の入力キーのいずれかに多重押し、あるいは単独で一定時間継続してキー押下が行われるなどのキー異常が生じた際には、操作部に加熱継続時あるいは加熱停止動作時の双方ともキー異常を表示するが、その後、キー入力が正常に入力されると再度加熱が可能なので、例えば、操作キーの上に物が置かれて異常表示した後に、加熱開始のキー上のみに物が移動した場合などは、勝手に加熱を開始する恐れがあった。
【０００７】
また、使用者が、キー上に物が載置されることによる操作部のキー異常表示を、誘導加熱調理の故障と勘違いする可能性もあった。
【０００８】
本発明は、前記従来の課題を解決するもので、タッチキーを所定時間以上押されたり、複数のタッチキーが同時に押されたりすると、電源開閉手段を遮断して表示部を消灯することで、タッチキーの誤操作により不意に再加熱することなく、かつ、使用者が誘導加熱調理器の故障と勘違する可能性をなくした誘導加熱調理器を提供することを目的とする。
【課題を解決するための手段】
【０００９】
前記従来の課題を解決するために、本発明の誘導加熱調理器は被加熱物を加熱する加熱源と、機器上面に設けられたトッププレートと、前記トッププレートに設けられ、制御命令を入力するタッチキーを含む操作部と、前記加熱源への電源供給をオンオフする電源開閉手段と、機器の操作状態を表示する表示部と、前記制御命令に基づいて前記加熱源への
通電を制御すると共に前記表示部に制御状態を表示する制御部と、前記タッチキーを第１の所定時間以上押されたり、複数のタッチキーが同時に押されている状態を検出するタッチキー異常判別手段とを備え、前記制御部は、前記タッチキー異常判別手段で異常を判別すると前記電源開閉手段を遮断して前記表示部を消灯することとしたものである。
【００１０】
これによって、前記タッチキーの誤操作による再加熱をなくし、より安全な状態にすることができる。
【００１１】
また、使用者が、キーの上に物が載置されることによる操作部のキー異常表示を誘導加熱調理器の故障と勘違いする可能性もなくすことができる。
【発明の効果】
【００１２】
本発明の誘導加熱調理器は、タッチキーの誤操作による再加熱をなくし、より安全な状態にすることができる。また、使用者が加熱停止中の異常表示を見て誘導加熱調理器の故障と勘違いする可能性をなくし、使い勝手の向上を効果的に行うことができる。
【図面の簡単な説明】
【００１３】
【図１】本発明の実施の形態１における誘導加熱調理器を示す図
【図２】本発明の実施の形態１における誘導加熱調理器のトッププレートを示す図
【図３】本発明の実施の形態２における誘導加熱調理器のトッププレートを示す図
【図４】本発明の実施の形態３における誘導加熱調理器を示す図
【図５】従来技術の誘導加熱調理器を示す図
【発明を実施するための形態】
【００１４】
第１の発明は、被加熱物を加熱する加熱源と、機器上面に設けられたトッププレートと、前記トッププレートに設けられ、制御命令を入力するタッチキーを含む操作部と、加熱源への電源供給をオンオフする電源開閉手段と、機器の操作状態を表示する表示部と、制御命令に基づいて加熱源への通電を制御すると共に表示部に制御状態を表示する制御部と、タッチキーを第１の所定時間以上押されたり、複数のタッチキーが同時に押されている状態を検出するタッチキー異常判別手段とを備え、前記制御部は、前記タッチキー異常判別手段で異常を判別すると前記電源開閉手段を遮断して前記表示部を消灯することにより、タッチキーの異常時に電源開閉手段を遮断しない方式に比べて、タッチキーの誤操作による再加熱をなくし、より安全な状態にすることができる。
【００１５】
また、異常表示が出続ける方式に比べ電源開閉手段を遮断して表示を消灯することにより使用者が誘導加熱調理器の故障と勘違いする可能性をなくし、使い勝手を向上することができる。
【００１６】
第２の発明は、特に、第１の発明の前記タッチキー異常判別手段が加熱中に第２の所定時間以上押されたり、複数のタッチキーが同時に押されている異常を判別すると前記制御部は電源開閉手段を遮断せずに異常を表示して加熱を停止することにより、操作キーの上に物が置かれて異常表示した後に加熱開始のキー上に物が移動した場合などの使用者の意図しない動作によるタッチキーの誤操作による再加熱をなくすことにより、タッチキーの異常時に電源開閉手段４を遮断しない方式に比べて、より安全な状態にすることができる。
【００１７】
第３の発明は、特に、第１または第２の発明において、複数の加熱源を備え、いずれかの加熱源を加熱中にタッチキー異常判別手段が他の加熱源の操作部に異常を判別すると電源開閉手段を遮断せずに異常を表示することにより、一方の加熱源の操作部に異常が生じても他方の加熱源の調理は継続可能となり、誘導加熱調理器の使い勝手を向上することが
できる。
【００１８】
第４の発明は、特に、第１〜３のいずれか１つの発明において、記電源開閉手段を遮断する際に、前記電源開閉手段を遮断することや遮断したことを報知する報知部をさらに備えたことにより、タッチキー異常を使用者に確実に知らせることができ、使用者が誘導加熱調理器の故障と勘違いする可能性をなくし使い勝手を向上することができる。
【００１９】
第５の発明は、特に、第１〜４のいずれか１つの発明の制御部に制御命令が一切入力されずに第３の所定時間経過すると、自動的に電源開閉手段を遮断する自動オフ機能を備えた制御部を備え、電源開閉手段を遮断した後、電源開閉手段オン時から加熱開始までの間に操作部に異常を検知すると第２の所定時間異常を表示し、第３の所定時間より短く設定された第４の所定時間経過後に電源開閉手段を遮断することにより、使用者が異常を取り除くことなく再加熱しても第４の所定時間経過後に電源開閉手段を遮断することとなり誘導加熱調理器の状態を使用者に報知し、より安全な状態へ移行することができ、さらに使い勝手を向上することができる。
【００２０】
以下、本発明の実施の形態について、図面を参照しながら説明する。なお、この実施の形態によって本発明が限定される物ではない。
【００２１】
（実施の形態１）
図１は、本発明の第１の実施の形態における誘導加熱調理器を示す図である。
【００２２】
図１において、商用電源１と、電源スイッチ２とリレー３とで構成される電源開閉手段４と、リレー３がオンすることにより商用電源１からの電源出力を直流に変換する整流器５と、インバータ回路６と、加熱コイル７で構成され図に示していない加熱コイル７上方に載置された被加熱物である鍋を加熱する加熱源８と、制御命令を入力する操作部９と、加熱源８への通電を制御する制御部１０と、機器の操作状態を表示する表示部１１と、操作部９のタッチキーを第１、第２の所定時間以上押されたり、複数のタッチキーが同時に押されている状態を検出する異常状態を検出するタッチキー異常判別手段１２と、電源開閉手段４を遮断することを報知する報知部１３とによって構成している。
【００２３】
図２は、本発明の第１の実施の形態における誘導加熱調理器のトッププレートを示す図である。
図２において、表示部１１と、加熱ダウンキー１４、加熱アップキー１５、加熱入切キーで構成されるタッチキーと、操作部９とによって構成している。
【００２４】
以上のように構成された誘導加熱調理器について、以下その動作、作用を説明する。
【００２５】
タッチキーで電源オンオフ、火力、タイマー、調理方法など様々な操作ができる。単一または複数のタッチキー、またはそのまわりを指や鍋、布巾、調理物、調理器具、液体などで第２の所定時間以上押したりしている異常をタッチキー異常判別手段１２で検知し、その検知された異常を制御部１０へ伝え、電源を遮断せずに異常を表示部１１へ表示して加熱を停止する。
【００２６】
そして、第２の所定時間を越える第１の所定時間以上異常を表示すると電源開閉手段４を遮断して表示部１１を消灯する。
【００２７】
また、異常を検知し、電源開閉手段によって電源を遮断する際に、報知部１３で報知を行う。
【００２８】
以上のように本実施の形態においては、第２の所定時間以上タッチキー異常判別手段１２で加熱中に異常を判別すると、制御部１０は電源開閉手段４を遮断せずに異常を表示して加熱を停止するようにしている。
【００２９】
また、第２の所定時間を越える第１の所定時間以上異常を検知すると電源開閉手段４を遮断して表示部１１を消灯し報知するようにしている。
【００３０】
これによって、操作キーの上に物が置かれて異常表示した後に加熱開始のキー上に物が移動した場合などの使用者の意図しない動作によるタッチキーの誤操作による再加熱をなくし、タッチキーの異常時に電源開閉手段４を遮断しない方式に比べて、より安全な状態にすることができる。
【００３１】
また、異常表示が出続ける方式に比べて、電源開閉手段４を遮断することにより使用者が誘導加熱調理器の故障と勘違いする可能性をなくし、使い勝手を向上することができる。
【００３２】
（実施の形態２）
図３は、本発明の第２の実施の形態における誘導加熱調理器のトッププレートを示す図である。
【００３３】
なお、実施の形態１と同じ構成物・動作については説明を省略する。
【００３４】
図３において、本実施の形態は、誘導加熱調理器が複数の加熱源８を備え、いずれかの加熱源８を加熱中にタッチキー異常判別手段１２が、他の加熱源８のタッチキー１７、１８、１９、２０、２１、２２を含む操作部２３に異常を判別すると電源開閉手段４を遮断せずに表示部１１へ異常を表示する。さらに異常を判別した他の加熱源８の操作部２３の加熱源８を停止する。
加熱停止後の遮断、表示部１１の消灯などは実施の形態１と同様に動作、作用する。
【００３５】
以上のように、本実施の形態においては、誘導加熱調理器が複数の加熱源を備え、右ＩＨで調理中に左ＩＨの操作部などに水がかかるなど加熱に関係ない加熱源のタッチキー異常を検出しても電源開閉手段４を遮断していないので右ＩＨの不要な調理の中断を防ぎ、調理を継続することができるものである。
【００３６】
なお、異常表示の手段は表示部１１だけでなく、誘導加熱調理器本体やその他の報知手段でも構わない。
【００３７】
（実施の形態３）
図４は、本発明の第３の実施の形態における誘導加熱調理器を示す図である。
【００３８】
なお、実施の形態１と同じ構成物・動作については説明を省略する。
【００３９】
図４において、本実施の形態は、制御部２４に制御命令が一切入力されずに第３の所定時間経過すると、自動的に電源開閉手段４を遮断する自動オフ回路を備えた制御部２４をさらに備えて構成している。
【００４０】
電源開閉手段４を遮断した後、電源開閉手段４から加熱開始までの間にタッチキーを含む操作部９に異常を検知すると第２の所定時間異常を表示し、第３の所定時間より短く設定された第４の所定時間経過後に電源開閉手段４を遮断する機能を加えたものである。
遮断前と再遮断後については、実施の形態１と同様に動作、作用する。
【００４１】
以上のように本実施の形態においては、使用者が指や物がタッチキーを同時押ししたり、長押ししたりすることや調理物が付着することなどの異常が検出されているにも関わらず、異常状態が取り除かれていない状態で再加熱するということを防ぎ、再び電源開閉手段４を遮断することにより安全な状態へ移行することができる。これによりさらに使い勝手の向上が可能となる。
【産業上の利用可能性】
【００４２】
以上のように本発明にかかる誘導加熱調理器は、加熱中にタッチキー異常判別して、手段で指や物がタッチキーを同時押ししたり、長押ししたりすることなどの異常を判別すると電源開閉手段を遮断して表示部を消灯する。これにより、電源開閉手段を遮断しない方式に比べて、吹きこぼれなどによるタッチキーの誤操作による再加熱をなくし、より安全な状態にすることができる。また、異常表示が出続けた方式に比べ電源開閉手段を遮断することにより使用者が誘導加熱調理器の故障と勘違いする可能性をなくす使い勝手の向上を効果的に行うことが可能となるので、家庭用あるいは業務用などの加熱調理器に有効である。
【符号の説明】
【００４３】
４  電源開閉手段
８  加熱源
９  操作部
１０  制御部
１１  表示部
１２  タッチキー異常判別手段
１３  報知部
【図１】
2011065793.tif 000003
【図２】
2011065793.tif 000004
【図３】
2011065793.tif 000005
【図４】
2011065793.tif 000006
【図５】
2011065793.tif 000007